(57)【特許請求の範囲】
【請求項１】
第１端末装置と送信制御プロトコルで有線通信を行い、第２端末装置と無線通信を行う基地局装置であって、前記第１端末装置が次データの送信量を減少させるか否かを判断する基準となる基準時刻を予め取得する情報取得手段と、前記基準時刻が迫った場合に前記第２端末装置で誤り難い伝送方式で前記データを再送する送信手段とを具備することを特徴とする基地局装置。
【請求項２】
送信手段は、基準時刻が迫った場合に変調多値数を減じてデータを変調して再送することを特徴とする請求項１記載の基地局装置。
【請求項３】
送信手段は、基準時刻が迫った場合に符号化率を下げてデータを誤り訂正符号化して再送することを特徴とする請求項１記載の基地局装置。
【請求項４】
送信手段は、基準時刻が迫った場合に拡散率を上げてデータを拡散して再送することを特徴とする請求項１記載の基地局装置。
【請求項５】
送信手段は、基準時刻が迫った場合にデータの優先度を上げて再送することを特徴とする請求項１記載の基地局装置。
【請求項６】
第１端末装置と送信制御プロトコルで有線通信を行い、第２端末装置と無線通信を行う基地局装置であって、前記第１端末装置が次データの送信量を減少させるか否かを判断する基準となる基準時刻を予め取得する情報取得手段と、前記基準時刻が迫った場合にデータの優先度を上げて再送する送信手段とを具備することを特徴とする基地局装置。
【請求項７】
基地局装置が第１端末装置と送信制御プロトコルで有線通信を行い、第２端末装置と無線通信を行う無線通信システムであって、前記第１端末装置は、データを送信してから所定時間を経過した場合に次のデータの送信量を減少する判断を行い、前記基地局装置は、前記第１端末装置の前記判断の基準となる基準時刻を予め取得し、前記基準時刻が迫った場合に前記第２端末装置で誤り難い伝送方式で前記データを再送することを特徴とする無線通信システム。
【請求項８】
基地局装置は、基準時刻が迫った場合に変調多値数を減じてデータを変調して再送することを特徴とする請求項７記載の無線通信システム。
【請求項９】
基地局装置は、基準時刻が迫った場合に符号化率を下げてデータを誤り訂正符号化して再送することを特徴とする請求項７記載の無線通信システム。
【請求項１０】
基地局装置は、基準時刻が迫った場合に拡散率を上げてデータを拡散して再送することを特徴とする請求項７記載の無線通信システム。
【請求項１１】
基地局装置は、基準時刻が迫った場合にデータの優先度を上げて再送することを特徴とする請求項７記載の無線通信システム。
【請求項１２】
基地局装置が第１端末装置と送信制御プロトコルで有線通信を行い、第２端末装置と無線通信を行う無線通信システムであって、前記第１端末装置は、データを送信してから所定時間を経過した場合に次のデータの送信量を減少する判断を行い、前記基地局装置は、前記第１端末装置の前記判断の基準となる基準時刻を予め取得し、前記基準時刻が迫った場合にデータの優先度を上げて再送することを特徴とする無線通信システム。
【請求項１３】
基地局装置は、第１端末装置に基準時刻の通知を要求し、前記第１端末装置は、前記要求を受けた場合に前記基地局装置に前記基準時刻を通知することを特徴とする請求項７から請求項１２のいずれかに記載の無線通信システム。
【請求項１４】
第１端末装置は、基地局装置にデータを送信するとともに基準時刻を通知することを特徴とする請求項７から請求項１２のいずれかに記載の無線通信システム。
【請求項１５】
第１端末装置は、基準時刻が迫った時点で基地局装置に前記基準時刻を通知することを特徴とする請求項７から請求項１２のいずれかに記載の無線通信システム。
【請求項１６】
基地局装置と第１端末装置とが送信制御プロトコルで有線通信を行い、前記基地局装置と第２端末装置とがレイヤ２で無線通信を行うパケット通信方法であって、前記第１端末装置がデータを送信してから所定時間を経過した場合に次のデータの送信量を減少する判断を行う工程と、前記基地局装置が前記第１端末装置の前記判断の基準となる基準時刻を予め取得する工程と、前記基地局装置が前記基準時刻の迫った場合に前記第２端末装置で誤り難い伝送方式で前記データを再送する工程とを具備することを特徴とするパケット通信方法。
【発明の詳細な説明】
【０００１】
【発明の属する技術分野】
本発明は、パケット通信を行う基地局装置、無線通信システム及びパケット通信方法に関する。
【０００２】
【従来の技術】
基地局装置と端末装置との間でパケット通信を行う無線通信システムでは、各装置での誤り制御を行うＴＣＰ（Transmission Control Protocol：送信制御プロトコル）と、無線区間の誤り制御を行うレイヤ２の再送プロトコルとを併用している。
【０００３】
図５は、従来の無線通信システムの装置構成を示すシステム構成図である。図５において、基地局装置１１は、ネットワーク等を介して送信側端末装置１２とＴＣＰで有線通信を行い、無線端末装置１３とレイヤ２で無線通信を行う。
【０００４】
図６及び図７は、従来の無線通信システムのパケット通信手順を示すシーケンス図である。図６は、送信側端末装置１２から送信されたデータが無線端末装置１３で正しく受信された場合を示し、図７は、送信側端末装置１２から送信されたデータが無線端末装置１３で正しく受信されなかった場合を示す。
【０００５】
まず、図６の場合について説明する。まず、送信側端末装置１２が、基地局装置１１にデータＡ（DataＡ）を送信し（ＳＴ：ステップ２１）、タイマを起動する（ＳＴ２２）。
【０００６】
基地局装置１１は、送信側端末装置１２から受信したデータＡをレイヤ２で無線端末装置１３に無線送信する（ＳＴ２３）。
【０００７】
無線端末装置１３は、データＡに対してレイヤ２で誤り検出を行い、誤りが検出されなければ（ＳＴ２４）、データＡをＴＣＰレイヤに渡し（ＳＴ２５）、正しく受信された旨を示すＡＣＫ信号（ＡＣＫ）をＴＣＰレイヤからレイヤ２に渡す（ＳＴ２６）。
【０００８】
そして、無線端末装置１３は、レイヤ２でＡＣＫ信号を基地局装置１１に無線送信し（ＳＴ２７）、基地局装置１１は、無線端末装置１３から無線受信したＡＣＫ信号を送信側端末装置１２に送信する（ＳＴ２８）。送信側端末装置１２は、ＡＣＫ信号を受信するとタイマを解除する（ＳＴ２９）。
【０００９】
以下、以降のデータについて、上記ＳＴ２１〜ＳＴ２９の処理が繰り返される。
【００１０】
次に、図７の場合について説明する。図７におけるＳＴ３１〜ＳＴ３３は、図６のＳＴ２１〜ＳＴ２３と同様である。
【００１１】
無線端末装置１３は、データＡに対してレイヤ２で誤り検出を行い、誤りが検出された場合（ＳＴ３４）、レイヤ２でデータＡの再送を要求する旨を示すＮＡＣＫ信号（ＮＡＣＫ）を基地局装置１１に無線送信する（ＳＴ３５）。基地局装置１１は、無線端末装置１３からＮＡＣＫ信号を無線受信すると、上記ＳＴ３３と同様にデータＡを再送する（ＳＴ３６）。
【００１２】
以下、無線端末装置１３においてデータＡが正しく受信されるまで、データＡについて上記ＳＴ３４〜ＳＴ３６の処理が繰り返される。
【００１３】
そして、無線端末装置１３は、データＡに対してレイヤ２で誤り検出を行い、誤りが検出されなければ（ＳＴ３７）、データＡをＴＣＰレイヤに渡し（ＳＴ３８）、正しく受信された旨を示すＡＣＫ信号（ＡＣＫ）をＴＣＰレイヤからレイヤ２に渡す（ＳＴ３９）。
【００１４】
そして、無線端末装置１３は、レイヤ２でＡＣＫ信号を基地局装置１１に無線送信し（ＳＴ４０）、基地局装置１１は、無線端末装置１３から無線受信したＡＣＫ信号を送信側端末装置１２に送信する（ＳＴ４１）。
【００１５】
ここで、送信側端末装置１２は、タイマを起動させてから所定時間を経過するまでにＡＣＫが戻ってこない場合、ネットワークが混雑していると判断して次の一度に送るデータのサイズを減少させる（タイムアウト）。
【００１６】
【発明が解決しようとする課題】
しかしながら、従来の無線通信システムでは、図７に示すように、タイミングによっては無線端末装置１３がＡＣＫ信号を無線送信したにもかかわらず、当該ＡＣＫ信号が送信側端末装置１２に受信される前にタイムアウトとなる場合があり、この場合にＴＣＰスループットが低下してしまう。
【００１７】
本発明はかかる点に鑑みてなされたものであり、この場合のＴＣＰスループットの低下を防ぐことができる基地局装置、無線通信システム及びパケット通信方法を提供することを目的とする。
【００１８】
【課題を解決するための手段】
本発明の基地局装置は、第１端末装置と送信制御プロトコルで有線通信を行い、第２端末装置と無線通信を行う基地局装置であって、前記第１端末装置が次データの送信量を減少させるか否かを判断する基準となる基準時刻を予め取得する情報取得手段と、前記基準時刻が迫った場合に前記第２端末装置で誤り難い伝送方式で前記データを再送する送信手段とを具備する構成を採る。
【００１９】
本発明の基地局装置は、送信手段は、基準時刻が迫った場合に変調多値数を減じてデータを変調して再送する構成を採る。
【００２０】
本発明の基地局装置は、送信手段は、基準時刻が迫った場合に符号化率を下げてデータを誤り訂正符号化して再送する構成を採る。
【００２１】
本発明の基地局装置は、送信手段は、基準時刻が迫った場合に拡散率を上げてデータを拡散して再送する構成を採る。
【００２２】
本発明の基地局装置は、送信手段は、基準時刻が迫った場合にデータの優先度を上げて再送する構成を採る。
【００２３】
本発明の基地局装置は、第１端末装置と送信制御プロトコルで有線通信を行い、第２端末装置と無線通信を行う基地局装置であって、前記第１端末装置が次データの送信量を減少させるか否かを判断する基準となる基準時刻を予め取得する情報取得手段と、前記基準時刻が迫った場合にデータの優先度を上げて再送する送信手段とを具備する構成を採る。
【００２４】
これらの構成により、第１端末装置が次のデータサイズを減少することがほとんどなくなるのでＴＣＰスループットの低下を防ぐことができる。
【００２５】
本発明の無線通信システムは、基地局装置が第１端末装置と送信制御プロトコルで有線通信を行い、第２端末装置と無線通信を行う無線通信システムであって、前記第１端末装置は、データを送信してから所定時間を経過した場合に次のデータの送信量を減少する判断を行い、前記基地局装置は、前記第１端末装置の前記判断の基準となる基準時刻を予め取得し、前記基準時刻が迫った場合に前記第２端末装置で誤り難い伝送方式で前記データを再送する構成を採る。
【００２６】
本発明の無線通信システムは、基地局装置は、基準時刻が迫った場合に変調多値数を減じてデータを変調して再送する構成を採る。
【００２７】
本発明の無線通信システムは、基地局装置は、基準時刻が迫った場合に符号化率を下げてデータを誤り訂正符号化して再送する構成を採る。
【００２８】
本発明の無線通信システムは、基地局装置は、基準時刻が迫った場合に拡散率を上げてデータを拡散して再送する構成を採る。
【００２９】
本発明の無線通信システムは、基地局装置は、基準時刻が迫った場合にデータの優先度を上げて再送する構成を採る。
【００３０】
本発明の無線通信システムは、基地局装置が第１端末装置と送信制御プロトコルで有線通信を行い、第２端末装置と無線通信を行う無線通信システムであって、前記第１端末装置は、データを送信してから所定時間を経過した場合に次のデータの送信量を減少する判断を行い、前記基地局装置は、前記第１端末装置の前記判断の基準となる基準時刻を予め取得し、前記基準時刻が迫った場合にデータの優先度を上げて再送する構成を採る。
【００３１】
これらの構成により、第１端末装置が次のデータサイズを減少することがほとんどなくなるのでＴＣＰスループットの低下を防ぐことができる。
【００３２】
本発明の無線通信システムは、基地局装置は、第１端末装置に基準時刻の通知を要求し、前記第１端末装置は、前記要求を受けた場合に前記基地局装置に前記基準時刻を通知する構成を採る。
【００３３】
本発明の無線通信システムは、第１端末装置は、基地局装置にデータを送信するとともに基準時刻を通知する構成を採る。
【００３４】
本発明の無線通信システムは、第１端末装置は、基準時刻が迫った時点で基地局装置に前記基準時刻を通知する構成を採る。
【００３５】
これらの構成により、基地局装置は、第１端末装置が次のデータの送信サイズを減少する判断を行う基準時刻を知ることができるので、第１端末装置が次のデータサイズを減少することがほとんどなくなり、ＴＣＰスループットの低下を防ぐことができる。
【００３６】
本発明のパケット通信方法は、基地局装置と第１端末装置とが送信制御プロトコルで有線通信を行い、前記基地局装置と第２端末装置とがレイヤ２で無線通信を行うパケット通信方法であって、前記第１端末装置がデータを送信してから所定時間を経過した場合に次のデータの送信を停止する判断を行う工程と、前記基地局装置が前記第１端末装置の前記判断の基準となる基準時刻を予め取得する工程と、前記基地局装置が前記基準時刻の迫った場合に前記第２端末装置で誤り難い伝送方式で前記データを再送する工程とを具備する方法を採る。
【００３７】
この方法により、第１端末装置が次のデータサイズを減少することがほとんどなくなるのでＴＣＰスループットの低下を防ぐことができる。
【００３８】
【発明の実施の形態】
本発明の骨子は、基地局装置がＴＣＰで通信を行う端末装置のタイムアウトの情報を何らかの方法で知り、タイムアウトが迫ったパケット情報を、レイヤ２で無線通信を行う無線端末装置において誤り難い伝送方式で再送することである。
【００３９】
以下、本発明の実施の形態について、添付図面を参照して詳細に説明する。
【００４０】
（実施の形態１）
図１は、本発明の実施の形態１に係る無線通信システムの基地局装置および送信側端末装置の構成を示すブロック図である。基地局装置１０１は、ネットワーク等を介して送信側端末装置１０２と有線通信を行い、無線端末装置１０３と無線通信を行う。
【００４１】
図１において、基地局装置１０１は、レイヤ２下り方向処理部１１１と、レイヤ１送信部１１２と、レイヤ１受信部１１３と、レイヤ２上り方向処理部１１４と、制御部１１５とから主に構成される。また、送信側端末装置１０２は、送信部１２１と、受信部１２２と、ＴＣＰ制御部１２３とから主に構成される。
【００４２】
基地局装置１０１において、レイヤ２下り方向処理部１１１は、メモリを内蔵し、新規データ送信時に、送信側端末装置１０２の送信部１２１から送信されたデータをメモリに蓄積するとともにレイヤ２で処理してレイヤ１送信部１１２に出力する。そして、レイヤ２下り方向処理部１１１は、新規にデータを送信したことを示す情報を制御部１１５に出力する。また、レイヤ２下り方向処理部１１１は、送信部１２１から送信された、送信側端末装置１０２のタイムアウトの時刻を示すタイムアウト情報を制御部１１５に出力する。また、レイヤ２下り方向処理部１１１は、再送時に、メモリに蓄積されているデータをレイヤ２で処理してレイヤ１送信部１１２に出力する。また、レイヤ２下り方向処理部１１１は、制御部１１５から変調方式の変更を指示する制御信号であるＭＣＳ制御信号を入力した場合、メモリに蓄積されているデータを、変調多値数を減じて変調してレイヤ１送信部１１２に出力する。なお、変調多値数を減じて変調するとは、例えば、１６ＱＡＭを用いていた場合に８ＰＳＫやＱＰＳＫなどで変調することである。
【００４３】
レイヤ１送信部１１２は、レイヤ２下り方向処理部１１１の出力信号を無線処理してアンテナから無線送信する。レイヤ１受信部１１３は、アンテナに受信された無線信号を無線処理してレイヤ２上り方向処理部１１４に出力する。
【００４４】
レイヤ２上り方向処理部１１４は、レイヤ１受信部１１３の出力信号をレイヤ２で処理し、ＡＣＫ信号あるいはＮＡＣＫ信号を制御部１１５に出力し、ＡＣＫ信号及びデータを送信側端末装置１０２に送信する。また、レイヤ２上り方向処理部１１４は、制御部１１５から出力された、タイムアウト情報を要求する信号（以下、「タイムアウト情報要求信号」という）を送信側端末装置１０２に送信する。
【００４５】
制御部１１５は、タイマを内蔵し、レイヤ２下り方向処理部１１１が新規データを送信した時点でタイマを起動してタイムアウト情報要求信号をレイヤ２上り方向処理部１１４に出力する。そして、制御部１１５は、タイムアウト情報に基づいて事実上のタイムアウトのタイミングを算出する。そして、制御部１１５は、ＡＣＫ信号を入力した場合にタイマをリセットしてレイヤ２下り方向処理部１１１に新規データ送信を指示し、ＮＡＣＫ信号を入力した場合にレイヤ２下り方向処理部１１１に再送を指示する。また、制御部１１５は、事実上のタイムアウトのタイミングが間近となった場合、ＭＣＳ制御信号をレイヤ２下り方向処理部１１１に出力する。
【００４６】
なお、事実上のタイムアウトのタイミングとは、基地局装置１０１のレイヤ２におけるデータの送信タイミングであって、これより遅くデータを送信してしまうと、無線端末装置１０３からのＡＣＫ信号が送信側端末装置１０２に受信される前にタイムアウトとなってしまうタイミングをいう。
【００４７】
送信側端末装置１０２において、送信部１２１は、下り方向の信号およびタイムアウト情報をレイヤ２下り方向処理部１１１に送信し、下り方向の信号を送信したことを示す制御信号をＴＣＰ制御部１２３に出力する。
【００４８】
受信部１２２は、無線処理してレイヤ２上り方向処理部１１４から上り方向の信号、ＡＣＫ信号およびタイムアウト情報要求信号を受信する。
【００４９】
ＴＣＰ制御部１２３は、タイマーを内蔵し、送信部１２１が新規データを送信した時点でタイマーを起動し、ＡＣＫ信号を入力した場合にタイマーをリセットして送信部１２１に新規データ送信を指示する。また、ＴＣＰ制御部１２３は、タイマを起動させてから所定時間を経過するとタイムアウトとしてタイマをリセットし、ネットワークが混雑していると判断して次に送信するデータのサイズを減少させる。また、ＴＣＰ制御部１２３は、タイムアウト情報要求信号を入力した場合、タイムアウトの時刻を示すタイムアウト情報を送信部１２１に出力する。なお、タイマーを起動してからタイムアウトするまでの時間は各送信側端末によって個別に設定される。
【００５０】
次に、図２のシーケンス図を用いて、本実施の形態に係る無線通信システムのパケット通信手順を説明する。まず、送信側端末装置１０２が、基地局装置１０１にデータＡ（DataＡ）を送信し（ＳＴ：ステップ２０１）、タイマを起動する（ＳＴ２０２）。
【００５１】
基地局装置１０１は、送信側端末装置１０２からデータＡを受信した時点でタイマを起動し（ＳＴ２０３）、レイヤ２でデータＡを無線端末装置１０３に無線送信し（ＳＴ２０４）、送信側端末装置１０２にタイムアウト情報要求信号を送信する（ＳＴ２０５）。
【００５２】
送信側端末装置１０２は、タイムアウト情報を基地局装置１０１に送信し、基地局装置１０１はタイムアウト情報に基づいて事実上のタイムアウトのタイミングを算出する（ＳＴ２０６）。
【００５３】
無線端末装置１０３は、データＡに対してレイヤ２で誤り検出を行い、誤りが検出された場合（ＳＴ２０７）、レイヤ２でデータＡの再送を要求する旨を示すＮＡＣＫ信号（ＮＡＣＫ）を基地局装置１０１に無線送信する（ＳＴ２０８）。基地局装置１０１は、無線端末装置１０３からＮＡＣＫ信号を無線受信すると、上記ＳＴ２０４と同様にデータＡを再送する（ＳＴ２０９）。
【００５４】
この後、無線端末装置１０３にて誤りが検出されなくなるまで、上記ＳＴ２０７〜２０９の処理が繰り返される。
【００５５】
そして、無線端末装置１０３にて誤りが検出され続けたまま事実上のタイムアウトのタイミング間近になると、基地局装置１０１は、データＡを、変調多値数を減じて変調し（ＳＴ２１０）、レイヤ２でデータＡを無線端末装置１０３に無線送信する（ＳＴ２１１）。
【００５６】
そして、無線端末装置１０３にて誤りが検出されなければ（ＳＴ２１２）、データＡをＴＣＰレイヤに渡し（ＳＴ２１３）、正しく受信された旨を示すＡＣＫ信号（ＡＣＫ）をＴＣＰからレイヤ２に渡す（ＳＴ２１４）。
【００５７】
そして、無線端末装置１０３は、レイヤ２でＡＣＫ信号を基地局装置１０１に無線送信し（ＳＴ２１５）、基地局装置１０１は、無線端末装置１０３から無線受信したＡＣＫ信号を送信側端末装置１０２に送信する（ＳＴ２１６）。送信側端末装置１０２は、ＡＣＫ信号を受信するとタイマを解除する（ＳＴ２１７）。
【００５８】
このように、本実施の形態にかかる無線通信システムでは、基地局装置が送信側端末装置にタイムアウト情報を要求し、受信したタイムアウト情報に基づいてタイムアウトが迫ったことを知り、タイムアウトが迫ったパケット情報を、変調多値数を減じて変調して再送することとした。これにより、送信側端末装置がタイムアウトによって次に送信するデータのサイズを減少させることがほとんどなくなるのでＴＣＰスループットの低下を防ぐことができる。
また、誤り符号化率を下げることにより、あるいは、拡散率を上げることにより、誤りにくくして再送することも有効である。
【００５９】
なお、上記図２のシーケンス図のＳＴ２０１において、送信側端末装置１０２が、基地局装置１０１にデータＡとともにタイミング情報を送信しても良い。この場合、ＳＴ２０５及びＳＴ２０６の工程が不要となるので、制御を簡略化することができる。
【００６０】
また、本実施の形態では、タイマーを起動してからタイムアウトするまでの時間が各送信側端末によって個別に設定される場合について説明したが、この時間が全ての送信側端末によって共通に設定されるシステムであっても構わない。この場合、基地局装置は、予めこの時間を記憶しておけば各送信側端末からタイムアウト情報をもらう必要がなく、制御が簡略化される。
【００６１】
（実施の形態２）
図３は、本発明の実施の形態２に係る無線通信システムの基地局装置および送信側端末装置の構成を示すブロック図である。なお、図３において、図１と共通する構成部分には図１と同一の付番を付して説明を省略する。
【００６２】
図３に示す無線通信システムは、図１と比較して、基地局装置３０１の制御部３１５がタイマを内蔵していない点で図１の基地局装置１０１の制御部１１５と異なる。また、図３に示す無線通信システムは、送信側端末装置３０２のＴＣＰ制御部３２３がタイムアウト間近になった時点でタイムアウト情報を送信部１２１に出力する点で図１の送信側端末装置１０２のＴＣＰ制御部１２３と異なる。
【００６３】
制御部３１５は、レイヤ２下り方向処理部１１１からタイムアウト情報を入力した時点でＭＣＳ制御信号をレイヤ２下り方向処理部１１１に出力する。
【００６４】
次に、図４のシーケンス図を用いて、本実施の形態に係る無線通信システムのパケット通信手順を説明する。まず、送信側端末装置３０２が基地局装置３０１にデータＡ（DataＡ）を送信し（ＳＴ４０１）、タイマを起動する（ＳＴ４０２）。基地局装置３０１は、レイヤ２でデータＡを無線端末装置１０３に無線送信する（ＳＴ４０３）。
【００６５】
無線端末装置１０３は、データＡに対してレイヤ２で誤り検出を行い、誤りが検出された場合（ＳＴ４０４）、レイヤ２でデータＡの再送を要求する旨を示すＮＡＣＫ信号（ＮＡＣＫ）を基地局装置３０１に無線送信する（ＳＴ４０５）。基地局装置３０１は、無線端末装置１０３からＮＡＣＫ信号を無線受信すると、上記ＳＴ４０３と同様にデータＡを再送する（ＳＴ４０６）。
【００６６】
この後、無線端末装置１０３にて誤りが検出されなくなるまで、上記ＳＴ４０４〜４０６の処理が繰り返される。
【００６７】
そして、無線端末装置１０３にて誤りが検出され続けたまま事実上のタイムアウトのタイミング間近になると、送信側端末装置３０２が基地局装置３０１にタイミング情報を送信する（ＳＴ４０７）。
【００６８】
基地局装置３０１は、タイミング情報を受信すると、変調多値数を減じて変調してデータＡを変調し（ＳＴ４０８）、レイヤ２でデータＡを無線端末装置１０３に無線送信する（ＳＴ４０９）。
【００６９】
そして、無線端末装置１０３にて誤りが検出されなければ（ＳＴ４１０）、データＡをＴＣＰに落とし（ＳＴ４１１）、正しく受信された旨を示すＡＣＫ信号（ＡＣＫ）をＴＣＰからレイヤ２に上げる（ＳＴ４１２）。
【００７０】
そして、無線端末装置１０３は、レイヤ２でＡＣＫ信号を基地局装置３０１に無線送信し（ＳＴ４１３）、基地局装置３０１は、無線端末装置１０３から無線受信したＡＣＫ信号を送信側端末装置３０２に送信する（ＳＴ４１４）。送信側端末装置３０２は、ＡＣＫ信号を受信するとタイマを解除する（ＳＴ４１５）。
【００７１】
このように、本実施の形態にかかる無線通信システムでは、基地局装置がタイムアウト情報を受信してタイムアウトが迫ったことを知り、タイムアウトが迫ったパケット情報を、変調多値数を減じて変調して再送することとした。これにより、送信側端末装置がタイムアウトによって次に送信するデータのサイズを減少させることがほとんどなくなるのでＴＣＰスループットの低下を防ぐことができる。
【００７２】
なお、上記各実施の形態では、基地局装置が、タイムアウトが迫ったパケット情報を、変調多値数を減じて変調して再送する場合について説明したが、本発明はこれに限られず、無線端末装置で誤り難くする他の伝送方式で再送しても良い。
【００７３】
例えば、基地局装置が、タイムアウトが迫ったパケット情報の優先度を上げて再送することによっても本発明の効果を得ることができる。この場合、ハイブリットＡＲＱを用いる無線通信システムに有効である。
【００７４】
また、誤り符号化率を下げることにより、あるいは、拡散率を上げることにより、誤りにくくして再送することも有効である。
【００７５】
【発明の効果】
以上説明したように、本発明によれば、基地局装置がＴＣＰで通信を行う端末装置のタイムアウトの情報を何らかの方法で知り、タイムアウトが迫ったパケット情報を、レイヤ２で無線通信を行う無線端末装置で誤り難い伝送方式で再送することにより、ＴＣＰスループットの低下を防ぐことができる。
【図面の簡単な説明】
【図１】本発明の実施の形態１に係る無線通信システムの基地局装置および送信側端末装置の構成を示すブロック図
【図２】上記実施の形態に係る無線通信システムのパケット通信手順を示すシーケンス図
【図３】本発明の実施の形態２に係る無線通信システムの基地局装置および送信側端末装置の構成を示すブロック図
【図４】上記実施の形態に係る無線通信システムのパケット通信手順を示すシーケンス図
【図５】無線通信システムの構成を示すシステム構成図
【図６】従来の無線通信システムのパケット通信手順を示すシーケンス図
【図７】従来の無線通信システムのパケット通信手順を示すシーケンス図
【符号の説明】
１０１  基地局装置
１０２  送信側端末装置
１０３  無線端末装置
１１１  レイヤ２下り方向処理部
１１２  レイヤ１送信部
１１３  レイヤ１受信部
１１４  レイヤ２上り方向処理部
１１５  制御部
１２１  送信部
１２２  受信部
１２３  ＴＣＰ制御部
【図１】
0003668437.tif 000002
【図２】
0003668437.tif 000003
【図３】
0003668437.tif 000004
【図４】
0003668437.tif 000005
【図５】
0003668437.tif 000006
【図６】
0003668437.tif 000007
【図７】
0003668437.tif 000008